(57)【要約】【課題】  複数の家電機器のうちの特定の家電機器を運転制御する操作が簡単になる家電機器システムを提供する。【解決手段】  不揮発性メモリ９には、複数の家電機器が登録され且つ複数の家電機器を個別に特定するための選択用動作パターン、前記複数の家電機器を運転制御するための操作用動作パターン及びこの操作用動作パターンが示す運転制御内容を各家電機器に割り当てられた通信信号に変換するためのコードが記憶され、３軸加速度加速度センサ３、４は、操作機器本体１０が操作されることによる選択用動作パターン及び操作用動作パターンを検出して、その信号をマイクロコンピュータ２に与え、マイクロコンピュータ２は、上記選択用動作パターンから家電機器を特定し、前記操作用動作パターンから運転制御内容を特定して、特定された家電機器に割り当てられた運転制御内容を示す赤外線通信信号を前記赤外線送信機６から出力させる。【選択図】  図１
2006324900.tif 000002
【特許請求の範囲】
【請求項１】
赤外線通信手段を有し、自己に割り当てられた赤外線通信信号を受信することにより運転制御される複数の家電機器と、
操作機器本体内に、赤外線通信手段、近距離無線電波通信手段、加速度センサ、記憶手段及び制御手段が配設されて構成された操作機器とを備え、
前記操作機器において、
前記記憶手段は、前記複数の家電機器が登録され且つ複数の家電機器を個別に特定するするための選択用動作パターン、前記複数の家電機器を運転制御するための操作用動作パターン及びこの操作用動作パターンが示す運転制御内容を各家電機器に割り当てられた通信信号に変換するためのコードが記憶されるように構成され、
前記加速度センサは、操作機器本体が操作されることによる選択用動作パターン及び操作用動作パターンを検出して、その信号を前記制御手段に与えるように構成され、
前記制御手段は、上記選択用動作パターンから家電機器を特定し、前記操作用動作パターンから運転制御内容を特定して、特定された家電機器に割り当てられた運転制御内容を示す赤外線通信信号を前記赤外線通信手段から出力させるように構成されていることを特徴とする家電機器システム。
【請求項２】
制御手段は、特定された運転制御内容から対象とする家電機器を特定するように構成されていることを特徴とする請求項１記載の家電機器システム。
【請求項３】
制御手段は、対象とする家電機器が特定されないときには、複数の家電機器に対して運転制御内容を示す赤外線通信信号を出力させるように構成されていることを特徴とする請求項２記載の家電機器システム。
【請求項４】
近距離無線電波通信手段を有し、インターネットに接続可能な通信端末と、
近距離無線電波通信手段を有するホーム端末とを備え、
記憶手段に対する選択用動作パターン、操作用動作パターン及びコードは、前記ホーム端末が健距離無線電波通信手段及び通信端末を介してインターネット上のデータベースから取得し若しくは付属の外部記憶装置から取得して前記通信端末、近距離無線電波通信手段を介して与えられるように構成されていることを特徴とする請求項１記載の家電機器システム。
【請求項５】
赤外線通信手段及び近距離無線電波通信手段を有し、自己に割り当てられた赤外線通信信号を受信することにより自己に割り当てられた近距離無線電波通信信号を送信し、自己に割り当てられた近距離無線電波通信信号を受信することにより運転制御される複数の家電機器と、
操作機器本体内に、赤外線通信手段、近距離無線電波通信手段、加速度センサ、記憶手段及び制御手段が配設されて構成された操作機器とを備え、
前記操作機器において、
前記記憶手段は、前記複数の家電機器が登録され且つ前記複数の家電機器を運転制御するための操作用動作パターン及びこの操作用動作パターンが示す運転制御内容を各家電機器に割り当てられた通信信号に変換するためのコードが記憶されるように構成され、
前記加速度センサは、操作機器本体が操作されることによる操作用動作パターンを検出して、その信号を前記制御手段に与えるように構成され、
前記制御手段は、複数の家電機器を特定するための赤外線通信信号を前記赤外線通信手段から出力させ、その特定された家電機器からの応答近距離無線電波通信信号を受信したときには前記特定された家電機器に対する運転制御内容を示す近距離無線電波通信信号を送信するように構成されていることを特徴とする家電機器システム。
【請求項６】
近距離無線電波通信手段を有し、インターネットに接続可能な通信端末と、
近距離無線電波通信手段を有するホーム端末とを備え、
記憶手段に対する選択用動作パターン、操作用動作パターン及びコードは、前記ホーム端末が健距離無線電波通信手段及び通信端末を介してインターネット上のデータベースから取得し若しくは付属の外部記憶装置から取得して前記通信端末、近距離無線電波通信手段を介して与えられるように構成されていることを特徴とする請求項５記載の家電機器システム。
【請求項７】
記憶手段への複数の家電機器の登録は、ホーム端末の入力手段によって行なわれるようになっていいることを特徴とする請求項４又は６記載の家電機器システム。
【請求項８】
ホーム端末は、入力された複数の家電機器及びその運転制御内容を表示する表示手段を有することを特徴とする請求項４又は６記載の家電機器システム。
【請求項９】
ホーム端末は、パーソナルコンピュータ、携帯電話機或いはＰＤＡ等で構成されていることを特徴とする請求項４又は６記載の家電機器システム。
【請求項１０】
操作機器は、複数の家電機器の操作履歴をホーム端末の記憶手段に近距離無線電波通信手段を介して記憶させるように構成されていることを特徴とする請求項４又は６記載の家電システム。
【請求項１１】
記憶手段への複数の家電機器の登録は、ホーム端末が近距離無線電波通信手段及び通信端末を介して前記複数の家電機器と無線電波通信することに基づいて行なわれるようになっていることを特徴とする請求項６記載の家電機器システム。
【請求項１２】
複数の家電機器は、赤外線通信手段のみを有する家電機器と赤外線通信手段及び近距離無線電波通信手段を有する家電機器とが混在することを特徴とする請求項１乃至１１のいずれかに記載の家電機器システム。
【請求項１３】
請求項１乃至１２のいずれかに記載の家電機器システムに用いられる操作機器。
【発明の詳細な説明】
【技術分野】
【０００１】
本発明は、１つの操作機器で複数の家電機器を選択操作する家電機器システム及びこの家電機器システムに用いられる操作機器に関する。
【背景技術】
【０００２】
一般家庭においては、リモートコントローラ（リモコン）を用いて運転制御する家電機器が多くなってきており、リモコンにより複雑な操作が可能になった反面、リモコン数が増加し、使用者にとっては煩雑である。この場合、リモコンとしては、赤外線通信手段を用いたものが一般的であるが、近距離無線電波通信手段を用いるものも考えられる。
このため、従来では、１つの操作端末（例えばＰＣ或いはＰＤＡ等）を用いてエアコンディショナ（エアコン）、テレビジョン（テレビ）、照明器具、ＶＴＲ，ＤＶＤ等の複数の家電機器を運転制御するようにしたシステムが考えられている（例えば特許文献１参照）。
【特許文献１】特開２００４−３１９９９号公報
【発明の開示】
【発明が解決しようとする課題】
【０００３】
上記従来の構成によると、リモコン数が著しく減少して使用者の煩雑さは解消されるが、複数の家電機器のうちの１つを運転制御する場合には、操作端末側で、複数の家電機器のうちの１つを特定し、且つその特定した家電機器の運転制御内容を特定するために、多数のキー若しくは操作ボタンを操作する必要があり、操作が複雑になる問題がある。
【０００４】
本発明は上記事情に鑑みてなされたものであり、その第１の目的は、特定の家電機器を運転制御する操作が簡単になる家電機器システムを提供するにあり、第２の目的は、この家電機器システムに用いられる操作機器を提供するにある。
【課題を解決するための手段】
【０００５】
本発明の家電機器システムは、赤外線通信手段を有し、自己に割り当てられた赤外線通信信号を受信することにより運転制御される複数の家電機器と、操作機器本体内に、赤外線通信手段、近距離無線電波通信手段、加速度センサ、記憶手段及び制御手段が配設されて構成された操作機器とを備え、前記操作機器において、前記記憶手段は、前記複数の家電機器が登録され且つ複数の家電機器を個別に特定するための選択用動作パターン、前記複数の家電機器を運転制御するための操作用動作パターン及びこの操作用動作パターンが示す運転制御内容を各家電機器に割り当てられた通信信号に変換するためのコードが記憶されるように構成され、前記加速度センサは、操作機器本体が操作されることによる選択用動作パターン及び操作用動作パターンを検出して、その信号を前記制御手段に与えるように構成され、前記制御手段は、上記選択用動作パターンから家電機器を特定し、前記操作用動作パターンから運転制御内容を特定して、特定された家電機器に割り当てられた運転制御内容を示す赤外線通信信号を前記赤外線通信手段から出力させるように構成されていることを特徴とする（請求項１）。
【０００６】
このような構成によれば、使用者が操作機器本体により選択用動作パターン及び操作用動作パターンを描くように操作するだけで、複数の家電機器のうちの１つを特定することができるとともに、その運転制御内容を特定することができて、特定された家電機器を特定された内容で運転制御することができる。
【０００７】
また、本発明の家電機器システムは、赤外線通信手段及び近距離無線電波通信手段を有し、自己に割り当てられた赤外線通信信号を受信することにより自己に割り当てられた近距離無線電波通信信号を送信し、自己に割り当てられた近距離無線電波通信信号を受信することにより運転制御される複数の家電機器と、操作機器本体内に、赤外線通信手段、近距離無線電波通信手段、加速度センサ、記憶手段及び制御手段が配設されて構成された操作機器とを備え、前記操作機器において、前記記憶手段は、前記複数の家電機器が登録され且つ前記複数の家電機器を運転制御するための操作用動作パターン及びこの操作用動作パターンが示す運転制御内容を各家電機器に割り当てられた通信信号に変換するためのコードが記憶されるように構成され、前記加速度センサは、操作機器本体が操作されることによる操作用動作パターンを検出して、その信号を前記制御手段に与えるように構成され、前記制御手段は、複数の家電機器を特定するための赤外線通信信号を前記赤外線通信手段から出力させ、その特定された家電機器からの応答近距離無線電波通信信号を受信したときには前記特定された家電機器に対する運転制御内容を示す近距離無線電波通信信号を送信するように構成されていることを特徴とする（請求項５）。
【０００８】
このような構成によれば、操作機器からの赤外線通信信号により複数の家電機器の１つを特定するので、使用者はその特定される家電機器に対する運転制御内容を示す操作用動作パターンを操作機器本体に描かせるだけで、その特定された家電機器を運転制御することができる。
【発明の効果】
【０００９】
本発明によれば、複数の家電機器のうちの特定の家電機器を運転制御する操作が簡単になるという効果を奏する。
【発明を実施するための最良の形態】
【００１０】
（第１の実施例）
以下、本発明第１の実施例につき、図１乃至図８を参照して説明する。
先ず、図１及び図２に従って操作機器について述べる。操作機器１は、図１（ｂ）に示すように、例えば指揮棒のように径小な長尺状をなしており、その電気的構成は、図１  （ａ）に示す通りである。即ち、制御手段たるマイクロコンピュータ２は、ＲＯＭ２ａ及びＲＡＭ２ｂを備えており、その入力端子には、加速度センサ例えば３軸加速度センサ３、４が接続されているとともに、キースイッチ５が接続されている。更に、マイクロコンピュータ２の出力端子には、赤外線通信手段たる赤外線送信機６が接続されているとともに、ＬＥＤ７ａ乃至７ｅが接続されており、又、入出力端子には、近距離無線電波通信手段たるBluetooth （登録商標）８及び不揮発性メモリ９が接続されている。
【００１１】
この場合、操作機器１の操作機器本体１０は、図１（ａ）に示すように、握部１０ａが他の部位たる作用部１０ｂよりも若干径大に構成されている。この操作機器本体１０の握部１０ａの基部内には、上記３軸加速度センサ４及びBluetooth ８がバッテリ（図示せず）とともに配設されている。更に、操作機器本体１０の握部１０ａ内には、上記マイクロコンピュータ１が配設され、握部１０ａの先端部側には、上記キースイッチ５が外部から押圧操作可能に配設されている。ここで、キースイッチ５は、押圧操作されるとその押圧操作されている間中オンするようになっている。そして、操作機器本体１０の作用部１０ｂの先端部内には、上記３軸加速度センサ３及び赤外線送信機６が配設され、その作用部１０ｂには、先端部から握部１０ａに向かって上記ＬＥＤ７ａ乃至７ｅが一直線上に配設されている。
【００１２】
ここで、操作機器本体１０内に配設された３軸加速度センサ３、４は、使用者が操作機器本体１０の握分１０ａを握ってＬＥＤ７ａ乃至７ｅが正面を向くように操作機器１を立てて基準位置にしたときに、Ｘ軸が前後方向になり、Ｙ軸が左右方向になり、Ｚ軸が操作機器本体１０の軸方向となるように設定されている。
【００１３】
次に、図２及び図３に従ってホーム端末について述べる。ホーム端末１１は、パーソナルコンピュータ、携帯電話機或いはＰＤＡ等で構成され、その電気的構成は、図３に示す通りある。即ち、制御手段たるマイクロコンピュータ１２は、ＲＯＭ１２ａ、ＲＡＭ１２ｂを備えており、その入力端子には、入力手段として例えばキーボードのような操作部１３が接続され、入出力端子には、近距離無線電波通信手段たるBluetooth １４及び表示手段として例えば液晶表示器のような表示器１５が接続されている。この場合、上記表示器１５には、図５に示すように、「検索」用のタッチスイッチ１５ａ及び「更新」用のタッチスイッチ１５ｂが配設されている。
【００１４】
図２に示す通信端末１６の電気的構成は、図４に示す通りである。即ち、制御手段たるマイクロコンピュータ１７は、ＲＯＭ１７ａ、ＲＡＭ１７ｂを備えており、その入出力端子には、近距離無線電波通信手段たるBluetooth １８及び通信機１９が接続されている。この場合、通信機１９は、図２に示すように、インターネット２０を介してサーバ２１に接続可能になっている。
【００１５】
而して、家庭内には、図２に示すように、家電機器としてエアコンディショナ（エアコン）２２、テレビジョン（テレビ）２３及び照明器具２４からなる赤外線式家電機器群２５が設置されており、これらは、図示はしないが、赤外線通信手段たる赤外線受信機を備えている。そして、エアコン２２、テレビ２３及び照明器具２４は、自己を認識するコード及び各種の運転制御内容を認識するコードを記憶しているメモリを備えており、通常は専用の赤外線式リモートコントローラ（リモコン）により運転制御されるようになっている。
【００１６】
次に、本実施例の作用につき、図５乃至図８をも参照して説明する。
使用者は、先ず、ホーム端末１１の操作部１３を操作して、家電機器の型名を入力すると、例えば、エアコン２２の場合には、そのエアコン２２の型名がＲＡＭ１２ｂに記憶されるとともに、図５に示すように、表示器１５にアンダーラインを付した状態に表示される。そこで、使用者が表示器１５の「検索」用のタッチスイッチ１５ａを押圧操作すると、ホーム端末１１のマイクロコンピュータ１２は、Bluetooth １４、通信端末１６のBluetooth １８、マイクロコンピュータ１７、通信機１９及びインタネット２０を介してサーバ２１にアクセスし、サーバ２１のデータベースから上記エアコン２２のデータを検索する。そして、そのデータは、前述と逆の経路でホーム端末１１のマイクロコンピュータ１２に伝送され、ＲＡＭ１２ｂに記憶されるとともに、表示器１５に送られる。これにより、表示器１５には、図５に示すように、エアコン２２の運転制御内容たる操作一覧が表示される。このエアコン２２のデータには、エアコン２２を特定するために、図７（ａ）示すような選択用動作パターン（例えば丸）Ａａ及びエアコン２２の運転制御内容を特定するために、図８（ａ）乃至（ｆ）示す操作用動作パターン及びこれらを実行するためのコードが含まれている。
【００１７】
この図８において、（ａ）は「電源オン」を示す操作用動作パターン（例えばα）Ｂａ、（ｂ）は「電源オフ」を示す操作用動作パターン（例えば逆α）Ｂｂ、（ｃ）は「温度を上げる」又は「チャンネルを変える（順送り）」を示す操作用動作パターン（例えば右方向への横棒）Ｂｃ、（ｄ）は「温度を下げる」又は「チャンネルを変える（逆送り）」を示す操作用動作パターン（例えば左方向への横方向の棒）Ｂｄ、（ｅ）は「冷房」を示す操作用動作パターン（例えば横波）Ｂｅ、（ｆ）は「暖房」を示す操作用動作パターン（例えば縦方向の波）Ｂｆを夫々表わす。そして、これらのデータは、使用者が表示器１５の「更新」用のタッチスイッチ１５ｂを押圧操作することによりBluetooth １４、６を介して操作機器１のマイクロコンピュータ２にあたえられた上で、不揮発性メモリ９に記憶され、エアコン２２の登録が完了する。
【００１８】
以上は、エアコン２２のデータの登録につい述べたものであるが、他の家電機器たるテレビ１２３及び照明器具２４のデータについても同様にして操作機器１の不揮発性メモリ９に記憶されて登録される。この場合、テレビ２３を特定するためには、図７（ｂ）に示すように、選択用動作パターン（例えば四角）Ａｂが設定され、照明機器２４を特定するために、図７（ｃ）に示すように、選択用動作パターン（例えば三角）Ａｃが設定されている。
【００１９】
さて、以上のような操作機器１を用いてエアコン２２、テレビ２３及び照明器具２４のうちの１つを特定して運転制御する場合について、図６のフローチャートを参照して述べる。操作機器１に一次電池若しくは二次電池からなるバッテリを装着すると、マイクロコンピュータ２が動作を開始する（スタート）。マイクロコンピュータ２は、先ず判断ステップＳ１で使用者によってキースイッチ５が押圧操作されたか否かを判断し、キースイッチ５の操作を待つ（「ＮＯ」）。使用者は、操作機器本体１０の握部１０ａを握り、ＬＥＤ７ａ乃至７ｅが正面を向くようにして操作機器１を立てて基準位置とし、キースイッチ５を押圧操作してオンさせると（判断ステップＳ１で「ＹＥＳ」）、マイクロコンピュータ２は、処理ステップＳ２に移行し、その時の３軸加速度センサ３、４のＸ、Ｙ、Ｚ軸の出力を基準信号とし、これを基にして使用者による操作機器本体１０の選択用動作パターンを読取る。マイクロコンピュータ２は、次に、判断ステップＳ３でキースイッチ５の押圧操作が解除されたか否かを判断し、「ＮＯ」であれば処理ステップＳ２を繰返す。
【００２０】
マイクロコンピュータ２は、使用者によるキースイッチ５の押圧操作が解除されてそのキースイッチ５がオフされると、判断ステップＳ３で「ＹＥＳ」と判断して選択用動作パターンの読取りを終了し、判断ステップＳ４に移行する。そして、マイクロコンピュータ２は、判断ステップＳ４では、選択用動作パターンが認識できたか否かの判断を行なう。尚、選択用動作パターンの認識は、次のようにして行なわれる。即ち、キースイッチ５が押圧操作されている間の３軸加速度センサ３、４の出力値の時系列を記録しておき、記録した加速度の時系列と不揮発性メモリ９に記憶された動作パターンとを比較する。この比較の方法は、動作パターンの特徴量と記録した加速度の時系列の特徴量とを比較することにより行なわれ、各特徴量において、或る一定以上の一致がみられた場合には、その加速度の時系列が当該動作パターンに一致すると認識する。
【００２１】
マイクロコンピュータ２は、判断ステップＳ４で上記動作パターンが選択用動作パターンがＡａ、Ａｂ或いはＡｃと認識したときには、操作対象機器（特定された家電機器）がエアコン２２、テレビ２３或いは照明器具２４であると判断してこの旨をＲＡＭ２ｂに記憶させ、次の処理ステップＳ５に移行する（判断ステップＳ４で「ＹＥＳ」）。マイクロコンピュータ２は、処理ステップＳ５においては、選択用動作パターンの読取りに成功したことを使用者に確認させるために、例えばＬＥＤ７ａを短時間点灯させる。使用者は、ＬＥＤ７ａの点灯により選択用動作パターンの読取り成功を確認すると、再びキースイッチ５を押圧操作する（判断ステップＳ６で「ＹＥＳ」）。
【００２２】
マイクロコンピュータ２は、判断ステップＳ６、処理ステップＳ７及び判断ステップＳ８では、判断ステップＳ１、処理ステップＳ２及び判断ステップＳ３と同様に使用者による操作機器本体１０の動作パターンを読取るが、ここでは、操作用動作パターンを読取る。そして、マイクロコンピュータ２は、操作用動作パターンがＢａ乃至Ｂｆのいずれかであると認識したときには、判断ステップＳ９で「ＹＥＳ」と判断して、その運転制御内容ＡＭ２ｂに記憶させ、次の処理ステップＳ１０に移行する。
【００２３】
マイクロコンピュータ２は、処理ステップＳ１０では次のような処理を実行する。
（１）操作機器本体１０による選択用動作パターンがＡａで特定された家電機器がエアコン２２の場合。
【００２４】
操作機器本体１０による操作用動作パターンがＢａ或いはＢｂのときには、マイクロコンピュータ２は、赤外線送信機６からエアコン２２の電源をオン或いはオフさせための赤外線通信信号をエアコン２２の赤外線受信機に送信させる。これにより、エアコン２２が運転を開始或いは停止する。操作機器本体１０による操作用動作パターンがＢｃ或いはＢｄのときには、マイクロコンピュータ２は赤外線送信機６からエアコン２２の温度を上げる或いは下げるための赤外線通信信号をエアコン２２の赤外線送信機に送信させる。これにより、エアコン２２の温度は上げられ或いは下げられる。操作機器本体１０による操作用動作パターンがＢｅ或いはＢｆのときには、マイクロコンピュータ２は、赤外線送信機６からエアコン２２を暖房から冷房に或いは冷房から暖房に切り替えるための赤外線通信信号をエアコン２２の赤外線受信機に送信させる。これにより、エアコン２２は冷房運転或いは暖房運転に切り替えられる。
【００２５】
（２）操作機器本体１０による選択用動作パターンがＡｂで特定された家電機器がテレビ２３の場合。
操作機器本体１０による操作用動作パターンがＢａ或いはＢｂのときには、マイクロコンピュータ２は、赤外線送信機６からテレビ２３の電源をオン或いはオフさせための赤外線通信信号をテレビ２３の赤外線受信機に送信させる。これにより、テレビ２３が受像を開始或いは停止する。操作機器本体１０による操作用動作パターンがＢｃ或いはＢｄのときには、マイクロコンピュータ２は赤外線送信機６からテレビ２３のチャンネルを変える（順送り或いは逆お繰り）赤外線通信信号をテレビ２３の赤外線受信機に送信させる。これにより、テレビ２３のチャンネルは順送り或いは逆送りで変えられる。
【００２６】
（３）操作機器本体１０による選択用動作パターンがＡｃで特定された家電機器が照明器具２４の場合。
操作機器本体１０による操作用動作パターンがＢａ或いはＢｂのときには、マイクロコンピュータ２は、赤外線送信機６から照明器具２４の電源をオン或いはオフさせための赤外線通信信号を署名器具２４の赤外線受信機に送信させる。これにより、照明器具２４が点灯し或いは消灯する。
【００２７】
尚、マイクロコンピュータ２は、判断ステップＳ６、処理ステップＳ７及び判断ステップ８の実行時に操作用動作パターンＢａ乃至Ｂｆのいずれも認識できなかったときには、判断ステップＳ９で「ＮＯ」と判断して処理ステップＳ１１に移行する。マイクロコンピュータ２は、この処理ステップＳ１１では、運転制御内容の読取りに失敗した旨を例えばＬＥＤ７ｂを短時間点灯させることにより使用者に知らせ、そして、判断ステップＳ１に戻る。
【００２８】
一方、マイクロコンピュータ２が判断ステップＳ１、処理ステップＳ２及び判断ステップＳ３を実行している間に、使用者が操作機器本体１０により選択用動作パターンＡａ乃至Ａｃのいすれでもなく操作用動作パターン例えばＢｃ或いはＢｄを描いたときには、マイクロコンピュータ２は、判断ステップＳ４で「ＮＯ」と判断して判断ステップＳ１２に移行し、ここで、操作用動作パターンを認識できたか否かを判断し、例えば操作用動作パターンＢｃ或いはＢｄを認識できたときには、「ＹＥＳ」と判断して判断ステップＳ１３に移行する。
【００２９】
マイクロコンピュータ２は、判断ステップＳ１３では、操作用動作パターンの示す運転制御内容から家電機器を特定できるか否かを判断するもので、例えば操作用動作パターンがＢｃ或いはＢｄで運転逝去内容が冷房或いは暖房のときには、特定される家電機器はエアコン２２であると判断し（判断ステップＳ１３で「ＹＥＳ」）、処理ステップＳ１４に移行する。そして、マイクロコンピュータ２は、処理ステップＳ１４において、操作用動作パターンがＢｃ或いはＢｄであるときには、赤外線送信機６からエアコン２２を冷房に或いは暖房に制御するための赤外線通信信号をエアコン２２の赤外線受信機に送信させる。これにより、エアコン２２は冷房運転或いは暖房運転を開始する。
【００３０】
尚、マイクロコンピュータ２は、判断ステップＳ１２において、操作用動作パターンを認識できなかった場合には、「ＮＯ」と判断して処理ステップＳ１５に移行し、運転制御内容の読取りに失敗した旨を例えばＬＥＤ７ｃを短時間点灯させることにより使用者に知らせ、そして、判断ステップＳ１に戻る。
【００３１】
ところで、マイクロコンピュータ２は、判断ステップＳ１、処理ステップＳ２及び判断ステップＳ３の実行により読取った操作用動作パターンが家電機器を特定できる運転制御内容でなかった場合には、例えば操作用動作パターンがＢａ或いはＢｂであった場合には、この操作用動作パターンＢａ或いはＢｂの運転制御内容（電源オン或いはオフ）では家電機器を特定することはできないので、判断ステップＳ１３で「ＮＯ」と判断して処理ステップＳ１６移行する。
【００３２】
この処理ステップＳ１６においては、赤外線通信信号の直進性（指向性）を利用する。使用者は、この状態のときには、赤外線送信機６が存在する操作機器本体１０の先端部を対象とする即ち特定する家電機器例えばエ照明器具２４の赤外線受信機に向ける。マイクロコンピュータ２は、この処理ステップＳ１６では、赤外線送信機６からエアコン２２の電源をオン或いはオフさせるための赤外線通信信号、テレビ２３の電源をオン或いはオフさせるための赤外線通信信号及び照明器具２４の電源をオン或いはオフさせるための赤外線通信信号を順次送信させるようになっている。これにより、赤外線送信機６からエアコン２２の電源をオン或いはオフさせるための赤外線通信信号が送信されているときには、これをエアコン２２の赤外線受信機が受信することはなく、又、テレビ２３の電源をオン或いはオフさせるための赤外線通信信号が送信されているときには、これをテレビ２３の赤外線受信機が受信することはない。そして、赤外線送信機６から照明器具２４の電源をオン或いはオフさせるための赤外線通信信号が送信されたときには、照明器具２４の赤外線受信機が受信するようになり、照明器具２４の電源がオン或いはオフされる。
【００３３】
尚、操作機器本体１０により操作用動作パターンＢａ或いはＢｂの代わりに操作用動作パターンＢｃ或いはＢｄが描かれた場合でも、上述と同様である。
このように本実施例によれば、マイクロコンピュータ２は、操作機器本体１０により選択用動作パターンＡａ、Ａｂ或いはＡｃが描かれると、３軸加速度センサ３、４の出力によりこれを認識して特定された家電機器がエアコン２２、テレビ２３或いは照明器具２４であると判定し、操作機器本体１０により操作用操作パターンＢａ乃至Ｂｆのいずれかが描かれると、３軸加速度センサ３、４の出力により特定されたエアコン２２、テレビ２３或いは照明器具２４の運転制御内容を特定し、その特定されたエアコン２２、テレビ２３或いは照明器具２４に特定された運転制御内容を実行させるようにしたので、操作が簡単になる。
【００３４】
更に、操作機器本体１０による操作用操作パターンＢａ乃至Ｂｆのいずれかの運転制御内容（例えば操作用動作パターンＢｅ或いはＢｆの冷房或いは暖房）により家電機器が特定される場合（例えばエアコン２２）には、操作機器本体１０に選択用動作パターンＡａ、Ａｂ或いはＡｃを描かせることなく特定された家電機器に特定された運転制御内容を実行させることができ、操作が一層簡単になるとともに、運転制御も迅速に行なうことができる。
【００３５】
又、制御内容が特定できながらも（例えば電源オン或いはオフ）、家電機器が特定できない場合には、マイクロコンピュータ２は、赤外線通信信号の直進性（指向性）を利用して特定の家電機器に特定された運転制御内容を実行させることができ、操作性上極めて便利である。
そして、ホーム端末１１により、複数の家電機器たるエアコン２２、テレビ２３及び照明器具２４の選択用動作パターン、操作用動作パターン及びコードをBluetooth ８、１８、通信機及びインターネット２０を介してサーバ２１から読出して操作機器１の不揮発性メモリ９に記憶登録させるようにしたので、実施が容易である。
【００３６】
（第２の実施例）
図９及び図１０は本発明の第２の実施例であり、上記実施例の図２及び図６と同一部分には同一符号付して示す。尚、この第２の実施例では、説明の便宜上、第１の実施例における図２及び図６以外の図も参照する。
図９において、家庭内には、赤外線式家電機器群２５の代わりに、複数の家電機器として赤外線通信手段たる赤外線受信機及び近距離無線電波通信手段たるBluetooth （いずれも図示せず）を夫々備えたエアコン２２´、テレビ２３´及び照明器具２４´からなる赤外線兼近距離無線電波式家電機器群２５´が設置されている。
【００３７】
この第２の実施例では、エアコン２２´、テレビ２３´及び照明器具２４´のデータを第１の実施例と同様にサーバ２１から得て操作機器１の不揮発性メモリ９に記憶登録させ、マイクロコンピュータ２は、図６のフローチャートに従って処理を実行するようにしてもよいが、ここでは、エアコン２２´、テレビ２３´及び照明器具２４´がBluetooth を備えていることを利用して、次のような動作を行なわせる。
即ち、エアコン２２´、テレビ２３´及び照明器具２４´からBluetooth 、通信端末１６を介してホーム端末１１のＲＡＭ２ｂに夫々の認証コードを記憶当登録させ、ホーム端末１１がこれを基にサーバ２１のデータベースから夫々の選択用動作パターン及び操作用動作パターンを取得してＲＡ１２ｂに記憶させ、そして、これらを通信端末１６を介して操作機器１の不揮発性メモリ９に記憶登録させる。
【００３８】
次に、図１０を参照して作用につき説明する。
マイクロコンピュータ２は、判断ステップＳ１、処理ステップＳ２及び判断ステップＳ３を実行することにより、操作機器本体１０が描く操作用動作パターンを読取り、次の判断ステップＳ９に移行する。マイクロコンピュータ２は、操作用動作パターンを認識すると、処理ステップＳ１７に移行し、赤外線送信機６から特定の家電機器に機器認証コードを示す赤外線通信信号を送信する。マイクロコンピュータ２は、次に判断ステップＳ１８に移行し、特定された家電機器からBluetooth により応答信号を示す近距離無線電波信号を受信したか否かを判断し、「ＹＥＳ」のときには処理ステップＳ１９にて上記特定された家電機器に前述の操作用動作パターンが示す運転制御内容の近距離無線電波信号を送信する。
【００３９】
尚、マイクロコンピュータ２は、特定家電機器からの応答信号を示す健距離無線電波信号を受信しなかったときには、判断ステップＳ１８で「ＮＯ」と判断して処理ステップＳ２０に移行し、応答信号の受信に失敗した旨を例えばＬＥＤ７ｄを短時間点灯させることにより使用者に知らせ、そして、判断ステップＳ１に戻る。
従って、このような第２の実施例によっても上記第１の実施例と同様の効果が得られ、特に、操作機器本体１０により操作用動作パターを描くだけで特定された家電機器を運転制御することができるので、操作が極めて簡単になる。
【００４０】
（第３の実施例）
図１１及び図１２は、本発明の第３の実施例であり、上記図２、図６、図９及び図１０と同一部分には同一符号を付して示す。
図１１に示すように、この第３の実施例では、家庭内に赤外線式家電機器群２５と赤外線兼近距離無線電波式家電機器群２５´とを設置するように構成されている。そして、図１２に示すように、この第３の実施例のフローチャートは、第１の実施例のフローチャート（図６）と第２の実施例のフローチャート（図１０）とを合成したものであり、その作用は第及び第２の実施例と同様であり、両実施例と同様の効果を得ることができる。
【００４１】
尚、本発明は上記し且つ図面に示す実施例に限定されるものではなく、次のような変形、拡張が可能である。
上記実施例では、ホーム端末がインタネット状のデータベースから家電機器のデータをうるようにしたが、例えば付属のメモリ（外部記憶装置）から得るようにしてもよい。
上記実施例では、１つの家電機器を特定するようにしたが、運転制御内容によっては（例えば電源オン）２つ以上の家電機器を特定するようにしてもよい。
３軸加速度センサは、操作機器の先端部に設けるだけでもよく、又、３軸加速度センサに限らず、２軸加速度センサ或いは単軸加速度センサを複数組合せてもよい。
家電機器としては、エアコン、テレビ、照明器具に限らず、赤外線受信機を備えた家電機器或いは赤外線受信機及びBluetooth を備えた家電機器であれば適用可能である。
【図面の簡単な説明】
【００４２】
【図１】本発明の第１の実施例を示し、（ａ）操作機器のブロック図、（ｂ）は操作機器の外観斜視図
【図２】家電機器システムの構成図
【図３】ホーム端末のブロック図
【図４】通信端末のブロック図
【図５】表示器の正面図
【図６】作用説明用のフローチャート
【図７】選択用動作パターンを示す図
【図８】操作用動作パターンを示す図
【図９】本発明の第２の実施例を示す図２相当図
【図１０】図６相当図
【図１１】本発明の第３の実施例を示す図２相当図
【図１２】図６相当図
【符号の説明】
【００４３】
図面中、１は操作機器、２はマイクロコンピュータ（制御手段）、３及び４は３軸加速度センサ（加速度センサ）、５キースイッチ、６は赤外線送信機（赤外線通信手段）、８はBluetooth （近距離無線電波通信手段）、９は不揮発性メモリ（記憶手段）、１０は操作機器本体、１１はホーム端末、１２はマイクロコンピュータ、１３は操作部（入力手段）、１４はBluetooth （健距離無線電波通信手段）、１５は表示器（表示手段）、１６は通信端末、１７はマイクロコンピュータ、１８はBluetooth （近距離無線電波通信手段）、１９は通信機、２０はインターネット、２１はサーバ、２２及び２２´はエアコン（家電機器）、２３及び２３´はテレビ（家電機器）、２４及び２４´は照明器具（家電機器）を示す。
【図１】
2006324900.tif 000003
【図２】
2006324900.tif 000004
【図３】
2006324900.tif 000005
【図４】
2006324900.tif 000006
【図５】
2006324900.tif 000007
【図６】
2006324900.tif 000008
【図７】
2006324900.tif 000009
【図８】
2006324900.tif 000010
【図９】
2006324900.tif 000011
【図１０】
2006324900.tif 000012
【図１１】
2006324900.tif 000013
【図１２】
2006324900.tif 000014